(57)【要約】【課題】熱源の配置位置が不明な場合であっても、レンズに形成される偏熱分布に起因したレンズ特性の劣化を抑制すること。【解決手段】光ピックアップ装置は、光源と、光源からの出射光を光ディスクに集光する対物レンズと、コイルを通電させることで対物レンズ５０を変位させる駆動機構と、対物レンズ５０に対して熱的に接続された熱伝導体７０と、を備える。熱伝導体７０は、コイルから直接的若しくは間接的に伝わった熱で対物レンズ５０を全体的に加温する又はコイルの配置箇所に応じて対物レンズ５０に生じる局所的な熱を受熱する。【選択図】図５
2009295240.tif 000002
【特許請求の範囲】
【請求項１】
光源と、
前記光源からの出射光を光ディスクに集光する対物レンズと、
コイルを通電させることで前記対物レンズを変位させる駆動機構と、
を備える光ピックアップ装置であって、
前記対物レンズに対して熱的に接続された熱伝導体を更に有し、
当該熱伝導体は、前記コイルから直接的若しくは間接的に伝わった熱で前記対物レンズを全体的に加温する又は前記コイルの配置箇所に応じて前記対物レンズに生じる局所的な熱を受熱する、光ピックアップ装置。
【請求項２】
前記対物レンズは、レンズ部及び当該レンズ部を囲むコバ部を有し、
前記熱伝導体は、前記レンズ部を囲むように形成されることを特徴とする請求項１に記載の光ピックアップ装置。
【請求項３】
前記対物レンズを保持する鏡筒を更に備え、
前記熱伝導体は、前記鏡筒よりも高い熱伝導率を有することを特徴とする請求項２に記載の光ピックアップ装置。
【請求項４】
前記対物レンズ及び前記鏡筒は樹脂材料からなり、前記熱伝導体は導電性材料からなることを特徴とする請求項３に記載の光ピックアップ装置。
【請求項５】
前記鏡筒は、前記対物レンズが載置される載置面を有し、
前記熱伝導体は、前記鏡筒の前記載置面に直接的に層状に形成されることを特徴とする請求項３又は４に記載の光ピックアップ装置。
【請求項６】
前記熱伝導体は、前記対物レンズの前記コバ部に直接的に層状に形成されることを特徴とする請求項３又は４に記載の光ピックアップ装置。
【請求項７】
前記熱伝導体が直接的に層状に形成された板状部材を更に備えることを特徴とする請求項３又は４に記載の光ピックアップ装置。
【請求項８】
輪状の前記熱伝導体は部分的に切断されていることを特徴とする請求項２乃至７のいずれか一項に記載の光ピックアップ装置。
【請求項９】
光ピックアップ装置内の駆動機構によって変位させられる対物レンズと、
前記対物レンズに対して熱的に接続された熱伝導体と、
を備えるレンズユニットであって、
前記熱伝導体は、熱源から直接的若しくは間接的に伝わった熱で前記対物レンズを全体的に加温する又は前記熱源の配置箇所に応じて前記対物レンズに生じる局所的な熱を受熱する、レンズユニット。
【請求項１０】
前記対物レンズは、レンズ部及び当該レンズ部を囲むコバ部を有し、
前記熱伝導体は、前記レンズ部を囲むように形成されることを特徴とする請求項９に記載のレンズユニット。
【請求項１１】
前記対物レンズを保持する鏡筒を更に備え、
前記熱伝導体は、前記鏡筒よりも高い熱伝導率を有することを特徴とする請求項１０に記載のレンズユニット。
【請求項１２】
前記対物レンズ及び前記鏡筒は樹脂材料からなり、前記熱伝導体は導電性材料からなることを特徴とする請求項１１に記載のレンズユニット。
【請求項１３】
前記鏡筒は、前記対物レンズが載置される載置面を有し、
前記熱伝導体は、前記鏡筒の前記載置面に直接的に層状に形成されることを特徴とする請求項１１又は１２に記載のレンズユニット。
【請求項１４】
前記熱伝導体は、前記対物レンズの前記コバ部に直接的に層状に形成されることを特徴とする請求項１１又は１２に記載のレンズユニット。
【請求項１５】
前記熱伝導体が直接的に層状に形成された板状部材を更に備えることを特徴とする請求項１１又は１２に記載のレンズユニット。
【請求項１６】
輪状の前記熱伝導体は部分的に切断されていることを特徴とする請求項１０乃至１５のいずれか一項に記載のレンズユニット。
【発明の詳細な説明】
【技術分野】
【０００１】
本発明は、光ピックアップ装置及びレンズユニットに関する。
【背景技術】
【０００２】
光ディスクに対して情報のリード／ライトをする光ピックアップ装置は従来から様々な電子機器に用いられている。近時においては、光ディスクに書き込まれるデータのデータ容量は増大しており、これに伴って光ディスクの大容量化が図られている。また、大容量の光ディスクに応じて、新たな構成の光ピックアップ装置も開発されている。
【０００３】
一般的に光ピックアップ装置内には様々な熱源が配置される。例えば、光ピックアップ装置内に含まれる熱源として、磁気回路を活用して対物レンズを変位させるアクチュエータが知られている。
【０００４】
対物レンズを変位させるために磁気回路中のコイルを通電すると、コイルは発熱する。コイルで生じた熱が対物レンズに伝わると、対物レンズのレンズ特性が劣化し、光ディスクに対して情報のリード／ライトを安定して実行することができなくなる場合がある。これは、全体的又は局所的に加温されることで対物レンズのレンズ特性が劣化すると、光ディスクに形成される光スポット形状が劣化したり、対物レンズによって光ディスクに投光される光に波面収差が生じたりしてしまうためである。なお、対物レンズが樹脂材料で形成される場合には、温度変化に伴うレンズ特性の劣化は顕著に問題になる。
【０００５】
特許文献１には、対物レンズが偏熱状態になったとしても集光スポットを良好に保つための技術が開示されている。具体的には、対物レンズを異なる特性の樹脂で対物レンズを成型している。同様に、特許文献２及び３には、対物レンズのレンズ構造を変化させる技術が開示されている。
【０００６】
なお、特許文献４には、熱源からの熱による対物レンズのレンズ特性の変化を低減させるために対物レンズを光軸方向に変位させる技術が開示されている。また、特許文献５には、光学部品の位置ずれ及び姿勢ずれを防止するために温度調整手段を設ける技術が開示されている。
【特許文献１】特開２００７−１８８５５３号公報
【特許文献２】特開２００３−１３１１２５号公報
【特許文献３】特開２００６−２４４５７７号公報
【特許文献４】特開２００７−３２８８８６号公報
【特許文献５】特開２００７−３１７３３９号公報
【発明の開示】
【発明が解決しようとする課題】
【０００７】
ところで、光ピックアップ装置に含まれる熱源の配置箇所は光ピックアップ装置の設計に依存する。換言すると、光ピックアップ装置内での熱源の配置箇所は、光ピックアップ装置の製品種類に応じて様々である。
【０００８】
対物レンズに形成される偏熱分布は、光ピックアップ装置内の熱源の配置箇所に応じたものになる。特許文献１乃至３のように対物レンズの光学特性又は構造を変化させたとしても、想定外の位置に熱源が配置されている光ピックアップ装置では対物レンズのレンズ特性の劣化を意図したように抑制することができない場合が生じうる。なお、偏熱分布とは、部分ごとに異なった温度になっている状態を示す。
【０００９】
すなわち、光ピックアップ装置の構成（製品種類）に依存せずに、対物レンズに形成される偏熱分布に起因した対物レンズのレンズ特性の劣化を抑制することが強く望まれている。
【００１０】
本発明は、このような問題点を解決するためになされたものであり、熱源の配置位置が不明な場合であっても、レンズに形成される偏熱分布に起因したレンズ特性の劣化を抑制することを目的とする。
【課題を解決するための手段】
【００１１】
本発明に係る光ピックアップ装置は、光源と、前記光源からの出射光を光ディスクに集光する対物レンズと、コイルを通電させることで前記対物レンズを変位させる駆動機構と、を備え、前記対物レンズに対して熱的に接続された熱伝導体を更に有し、当該熱伝導体は、前記コイルから直接的若しくは間接的に伝わった熱で前記対物レンズを全体的に加温する又は前記コイルの配置箇所に応じて前記対物レンズに生じる局所的な熱を受熱する。
【００１２】
熱伝導体を設けたことによって、熱源の配置位置が不明な場合であっても、レンズに形成される偏熱分布に起因したレンズ特性の劣化を抑制することができる。
【００１３】
前記対物レンズは、レンズ部及び当該レンズ部を囲むコバ部を有し、前記熱伝導体は、前記レンズ部を囲むように形成される、と良い。
【００１４】
前記対物レンズを保持する鏡筒を更に備え、前記熱伝導体は、前記鏡筒よりも高い熱伝導率を有する、と良い。
【００１５】
前記対物レンズ及び前記鏡筒は樹脂材料からなり、前記熱伝導体は導電性材料からなる、と良い。
【００１６】
前記鏡筒は、前記対物レンズが載置される載置面を有し、前記熱伝導体は、前記鏡筒の前記載置面に直接的に層状に形成される、と良い。
【００１７】
前記熱伝導体は、前記対物レンズの前記コバ部に直接的に層状に形成される、と良い。
【００１８】
前記熱伝導体が直接的に層状に形成された板状部材を更に備える、と良い。
【００１９】
輪状の前記熱伝導体は部分的に切断されている、と良い。
【００２０】
本発明に係るレンズユニットは、光ピックアップ装置内の駆動機構によって変位させられる対物レンズと、前記対物レンズに対して熱的に接続された熱伝導体と、を備えるレンズユニットであって、前記熱伝導体は、熱源から直接的若しくは間接的に伝わった熱で前記対物レンズを全体的に加温する又は前記熱源の配置箇所に応じて前記対物レンズに生じる局所的な熱を受熱する。
【発明の効果】
【００２１】
本発明によれば、熱源の配置位置が不明な場合であっても、レンズに形成される偏熱分布に起因したレンズ特性の劣化を抑制することができる。
【発明を実施するための最良の形態】
【００２２】
以下、図面を参照しつつ、本発明の実施の形態について説明する。なお、各実施の形態は、説明の便宜上、簡略化されている。図面は簡略的なものであるから、図面の記載を根拠として本発明の技術的範囲を狭く解釈してはならない。図面は、もっぱら技術的事項の説明のためのものであり、図面に示された要素の正確な大きさ等は反映していない。同一の要素には、同一の符号を付し、重複する説明は省略するものとする。上下左右といった方向を示す言葉は、図面を正面視した場合を前提として用いるものとする。
【００２３】
〔第１の実施の形態〕
図１乃至図８を参照して本発明の第１の実施形態について説明する。図１は、光ピックアップ装置の構成を示すブロック図である。図２は、対物レンズを変位させる駆動機構の概略的な斜視図である。図３Ａ及びＢは、対物レンズを変位させる駆動機構の動作を説明するための説明図である。図４は、レンズを保持した鏡筒の概略的な斜視図である。図５は、レンズを保持した鏡筒の断面構成を示す概略的な模式図である。図６は、金属膜の形成範囲を説明するための概略的な模式図である。図７及び図８は、レンズに形成される偏熱を説明するための説明図である。
【００２４】
図１に示すように、光ピックアップ装置２００は、半導体レーザ素子１００、コリメータレンズ１０５、偏光ビームスプリッター１１０、アクチュエータ１１２、対物レンズ１１８、集光レンズ１２０、光検出器１２５、制御回路１２８、及びＲＦ回路１２９を有する。なお、レーザ光の偏光状態を制御する位相板が光路上に適宜配置されているものとする。
【００２５】
はじめに光ピックアップ装置２００内に含まれる個々の要素について説明する。
【００２６】
半導体レーザ素子１００は、外部から入力される駆動信号に応じてレーザ光を出射する。半導体レーザ素子１００は、波長可変型の半導体レーザ素子であっても良いし、所定波長（例えば、波長７８０ｎｍ、６５０ｎｍ、４０５ｎｍ等）の出射光を出力する半導体レーザ素子であっても良い。
【００２７】
コリメータレンズ１０５は、半導体レーザ素子１００から出射された光束を平行化する。偏光ビームスプリッター１１０は、Ｓ偏光の入射光を透過し、Ｐ偏光の入射光を反射する。アクチュエータ１１２は、磁気回路に含まれるコイルを通電させて対物レンズ１１８を変位させる。対物レンズ１１８は、入射光を光ディスクＯＰＤのディスク面に集光し、光ディスクＯＰＤのディスク面上に光スポットを形成させる。
【００２８】
集光レンズ１２０は、入射光を光検出器１２５の光入射面に集光させる。光検出器１２５は、光入射面における入射光の入射位置を検出し、入射光の入射位置を示す信号を出力する。光検出器１２５は、抵抗分割型の位置検出素子又は４分割フォトダイオードである。
【００２９】
制御回路１２８は、光検出器１２５の出力に基づいてアクチュエータ１１２を制御する。具体的には、制御回路１２８は、アクチュエータ１１２を制御して、対物レンズ１１８をフォーカシング方向（ディスク面に近づく／ディスク面から遠ざかる方向）、トラッキング方向（光ディスクの径方向）、ラジアルチルト方向（光ディスクの半径方向での傾き）、タンジェンシャルチルト方向（光ディスクの接線方向での傾き）に変位させる。ＲＦ回路１２９は、光検出器１２５の出力に応じたＲＦ(Radio Frequency)信号を出力する。
【００３０】
次に、光ディスクＯＰＤに対して情報のリード／ライトを実行する光ピックアップ装置２００の動作の詳細について説明する。
【００３１】
半導体レーザ素子１００から出射されたレーザ光は、コリメータレンズ１０５に入力される。コリメータレンズ１０５からは平行光化されたレーザ光が出力される。次に、平行光化されたレーザ光は偏光ビームスプリッター１１０に入力する。偏光ビームスプリッター１１０を通過したレーザ光は、対物レンズ１１８によって光ディスクＯＰＤのディスク面上にスポット状に集光される。光ディスクＯＰＤのディスク面で反射されたレーザ光は、対物レンズ１１８を介して偏光ビームスプリッター１１０に入力し、偏光ビームスプリッター１１０によって反射される。偏光ビームスプリッター１１０で反射されたレーザ光は、集光レンズ１２０を介して光検出器１２５の光入射面にスポット状に集光される。光検出器１２５の出力に基づいて、制御回路１２８はアクチュエータ１１２を制御し、対物レンズ１１８を変位させる。ＲＦ回路１２９は、光検出器１２５の出力に応じてＲＦ信号を出力する。
【００３２】
図２に、対物レンズを変位させる駆動機構の概略的な斜視図を示す。但し、説明の明確化の観点から、駆動機構に含まれる磁気回路の配線接続については図示を省略している。
【００３３】
図２に示すように、可動部４５は、複数の磁石（永久磁石）１５によって囲まれている。駆動機構１９０は、可動部４５に取り付けたコイルを通電させることで可動部４５を変位させる。駆動機構１９０は、可動部４５に取り付けられたコイルと磁石１５とによって形成される。
【００３４】
可動部４５は、対物レンズ５０、鏡筒５１、及びベース部４６を有する。ベース部４６は、フォーカシングコイル３ａ、３ｂ、及びラジアルチルトコイル１３ａ、１３ｂが積層された部分を有する。また、ベース部４６の側面には、トラッキングコイル４ａ〜４ｄ、及びタンジェンシャルチルトコイル１４ａ〜１４ｄが取り付けられている。なお、各コイルは、可撓性配線を介して、外部の電流源に接続される。
【００３５】
磁石１５ａ〜１５ｃと磁石１５ｄ〜１５ｆとは可動部４５を挟んだ状態で互いに対向して配置される。磁石１５ｇと磁石１５ｈは可動部４５を挟んだ状態で互いに対向して配置される。磁石１５は、高い透磁性のヨーク部材（不図示）に固定される。このような構成を採用することで、磁束の漏れを極力抑制することができる。
【００３６】
なお、磁石１５ａにより形成される磁束の方向は、磁石１５ｄにより形成される磁束の方向とは逆である。磁石１５ｂと磁石１５ｅも同様である。磁石１５ｃと磁石１５ｆも同様である。他方、磁石１５ｇにより形成される磁束の方向は、磁石１５ｈにより形成される磁束の方向に一致する。
【００３７】
各コイルを通電させることに応じて発生するローレンツ力によって、可動部４５は所望の方向に変位する。ここでは、可動部４５は、フォーカシング方向（ディスク面に近づく／ディスク面から遠ざかる方向）、トラッキング方向（光ディスクの径方向）、ラジアルチルト方向（光ディスクの半径方向での傾き）、タンジェンシャルチルト方向（光ディスクの接線方向での傾き）に変位する。
【００３８】
図３Ａ及びＢを参照してこの点について説明を補足する。図３Ａは、ラジアルチルト方向への可動部４５の移動を説明するための説明図である。図３Ｂは、タンジェンシャルチルト方向への可動部４５の移動を説明するための説明図である。なお、コイルは、後述の動作を実現するために適宜導線で結線されているものとする。また、各コイルには、駆動回路によって適切なタイミングで、かつ適切な電流量の電流が流されるものとする。
【００３９】
図３Ａの場合、ラジアルチルトコイル１３ａ、１３ｂを通電させると、コイルの通電により生じたローレンツ力によって、ラジアルチルトコイル１３ｂがｚ軸の正方向に付勢され、ラジアルチルトコイル１３ａがｚ軸の負方向に付勢される。これによってラジアルチルト方向のモーメント１８が生じ、可動部４５がラジアル方向に傾く。なお、逆方向に可動部４５を傾けたい場合には、コイルに流す電流の方向を逆にする。
【００４０】
図３Ｂの場合、タンジェンシャルチルトコイル１４ａ〜１４ｄを通電させると、コイルの通電により生じたローレンツ力によって、タンジェンシャルチルトコイル１４ａ、１４ｂがｚ軸の正方向に付勢され、タンジェンシャルチルトコイル１４ｃ、１４ｄがｚ軸の負方向に付勢される。これによってタンジェンシャルチルト方向のモーメント１９が生じ、可動部４５がタンジェンシャル方向に傾く。なお、逆方向に可動部４５を傾けたい場合には、コイルに流す電流の方向を逆にする。
【００４１】
図４乃至図６を参照して、可動部４５の対物レンズ５０付近の構成について説明する。
【００４２】
図４及び図５に示すように、対物レンズ５０は鏡筒５１に取り付けられ、対物レンズ５０は鏡筒５１によって保持される。本実施形態では、鏡筒５１の載置面５２には予め金属膜（熱伝導体）７０が形成される。そして、対物レンズ５０は、金属膜７０が形成された載置面５２に載置される。
【００４３】
金属膜７０は、通電されたコイルから伝わった熱で対物レンズ５０を全体的に加温する。従って、この金属膜７０による熱伝導作用によって、コイルからの熱により局所的に対物レンズ５０が加温され、対物レンズ５０に部分的に偏った熱分布が形成されることが効果的に抑制される。この点は、後述の説明から明らかになる。以下、具体的に説明する。
【００４４】
図５に示すように、対物レンズ５０は、レンズ部６０及びコバ部６１を有する。
【００４５】
対物レンズ５０は、その前面にレンズ部６０ａを有し、その背面にレンズ部６０ｂを有する。レンズ部６０ａ、６０ｂは共に凸状体である。各レンズ部のレンズ面を介して入射光は光ディスクＯＰＤのディスク面にスポット状に集光される。すなわち、各レンズ部６０は光学的に機能する部分である。なお、対物レンズ５０は、樹脂材料が金型で成型されて製造される樹脂レンズ（プラスチックレンズ）である。
【００４６】
対物レンズ５０のコバ部６１は、対物レンズ５０のレンズ部６０を囲むように形成される。コバ部６１は光軸ＡＸに直交する軸線にそって延在する平板状の部分である。コバ部６１は、レンズ部６０のように光学的に機能する部分ではなく、対物レンズ５０を鏡筒５１に取り付けるための部分である。
【００４７】
鏡筒５１は、円筒状部材である。鏡筒５１の上端部分の肉厚Ｗ１は、鏡筒５１の胴部分の肉厚Ｗ２よりも薄い。これによって、鏡筒５１の上端には、対物レンズ５０を収納するための空間が確保される。より具体的に、鏡筒５１の上端側には対物レンズ５０が載置される載置面５２が形成される。なお、対物レンズ５０と同様、鏡筒５１も、樹脂材料が金型で成形されて製造される樹脂部品（プラスチック部品）である。尚、載置面５２は、対物レンズ５０と対向する対向面としても把握することができる。
【００４８】
鏡筒５１を樹脂材料で成形するほうが、鏡筒５１を金属材料で成形するよりも鏡筒５１の重量を軽くすることができる。鏡筒５１の軽量化を図ることで、鏡筒５１を変位させるための駆動量を低減させることができる。また、鏡筒５１を樹脂材料で成形するほうが、鏡筒５１を金属材料で成形するよりも鏡筒５１の価格を低く抑えることができる。鏡筒５１の低価格化を図ることで、光ピックアップ装置２００の低価格化を図ることができる。
【００４９】
金属膜７０は、通常の薄膜形成技術（蒸着、スパッタリング、コーティング等）によって鏡筒５１の載置面５２に形成される。金属膜７０は、例えば、銅（Ｃｕ）、銀（Ａｇ）、銀合金、又は金（Ａｕ）からなる。金属膜７０は、熱伝導層としても把握できる。
【００５０】
なお、金属膜７０を鏡筒５１に形成するために鏡筒５１に対してメッキ処理を施す場合、予め超臨界状態のscCO2（超臨界二酸化炭素と呼ぶ）で鏡筒５１を前処理すると良い。すなわち、scCO2に対してパラジウム（Ｐｂ）錯体を溶解し、プラスチック表面付近にＰｂを核種として埋め込むと良い。これによって、従来の六価クロム等を使用したエッチング処理が不要になり、メッキ工程における環境負荷を著しく低減させることができる。
【００５１】
図６に示すように、金属膜７０は、コバ部６１の背面上に形成される。また、金属膜７０は、輪状に形成され、レンズ部６０ｂを囲む。
【００５２】
金属膜７０は、熱を伝導する熱伝導体として機能する。金属膜７０の熱伝導率は、対物レンズ５０の熱伝導率及び鏡筒５１の熱伝導率よりも大きければ良いため、金属以外の材料で熱導電体を形成させても良い。なお、レンズユニットは、少なくとも対物レンズ５０と金属膜７０を含んで形成される。
【００５３】
ここで、図７及び図８を参照して、対物レンズ５０に形成される部分的に偏った熱分布について説明する。図７に示すように、対物レンズ５０を保持する鏡筒５１の周囲に対物レンズ５０を変位させるためのコイル（熱源）４０を配置する場合を想定する。この場合、コイル４０を通電させると、コイル４０は発熱する。この状態が一定期間継続すると、図８に模式的に示すように、コイル４０の配置箇所に対応して、対物レンズ５０の部分Ｒ１〜Ｒ３が加温される。すなわち、対物レンズ５０には部分ごとに熱量が異なる熱分布が形成される。このように対物レンズ５０が偏熱状態になると、対物レンズ５０の光学的な機能が劣化する。これによって、意図したように光ディスクＯＰＤに対して情報のリード／ライトを実行することができなくなるおそれがある。
【００５４】
本実施形態では、上述の説明したように、鏡筒５１の載置面５２には予め金属膜７０が形成され、対物レンズ５０は、金属膜７０が形成された載置面５２に載置される。対物レンズ５０を鏡筒５１に接着又は嵌合により固定する過程で、対物レンズ５０のコバ部６１には金属膜７０が貼り合わされ、対物レンズ５０のコバ部６１には直接的に金属膜７０が接触する。
【００５５】
金属膜７０は熱伝導体として機能する。金属膜７０は対物レンズ５０及び鏡筒５１よりも高い熱伝導性を有するため、金属膜７０における熱拡散速度は、金属膜７０から対物レンズ５０への熱拡散速度よりも十分に速い。従って、金属膜７０がコイルから受けた熱は、まず金属膜７０の全体に拡散し、時間的に遅れて、金属膜７０から対物レンズ５０に拡散する。金属膜７０から対物レンズ５０に熱が拡散するときは、金属膜７０は既に全体的に加温された状態にある。コイルからの熱は、まず金属膜７０により受熱され、金属膜７０の全体に拡散し、全体的に加温された金属膜７０を介して、対物レンズ５０に拡散する。
【００５６】
このように高い熱伝導性を有する金属膜７０を鏡筒５１の載置面５２に設けることによって、コイルからの熱により対物レンズ５０が局所的に加温され、対物レンズ５０に部分的に偏った熱分布が形成されることが効果的に抑制される。従って、熱源の配置位置が不明な場合であっても、レンズに形成される偏熱分布に起因したレンズのレンズ特性の劣化を抑制することが可能になる。
【００５７】
なお、対物レンズ５０が全体的に加温されたとしても、光ピックアップ装置２００によるフィードバック制御によって、対物レンズ５０を光軸上の所望の位置に変位させることで、対物レンズ５０の温度変化の影響を回避することができる。
【００５８】
他方、対物レンズ５０が局所的に加温され、対物レンズ５０が偏熱状態となった場合、光ピックアップ装置２００によるフィードバック制御によって、対物レンズ５０を光軸上の所望の位置に変位させたとしても、対物レンズ５０の偏熱状態の影響を回避することはできない。
【００５９】
〔第２の実施の形態〕
図９、１０を参照して本発明の第２の実施形態について説明する。図９は、第２の実施形態にかかる対物レンズ５０の概略的な斜視図である。図１０は、第２の実施形態にかかる対物レンズ５０の断面構成を示す概略的な模式図である。
【００６０】
図９及び図１０から明らかなように、第１の実施形態とは異なり、本実施形態においては、鏡筒５１に金属膜７０を形成するのではなく、対物レンズ５０のコバ部６１に直接的に金属膜７０を形成する。このような場合であっても第１の実施形態と同様の効果を得ることができる。
【００６１】
ここでは、図１０に示すように、金属膜７０は、コバ部６１の前面６２、側面６３、及び背面６４上に連続して形成される。これによって金属膜７０の熱容量を十分なものにすることができる。但し、金属膜７０の形成範囲は、コバ部６１の前面６２、側面６３、又は背面６４のいずれかに限定させても良い。
【００６２】
なお、対物レンズ５０は、第１の実施形態と同様の鏡筒５１（但し、金属膜７０は形成されていない）に取り付けられるものとする。また、対物レンズ５０のコバ部６１に直接的に金属膜７０を形成する場合には、対物レンズ５０のレンズ部６０に金属膜７０が形成されないようにマスクする必要がある。
【００６３】
〔第３の実施の形態〕
図１１、１２を参照して本発明の第３の実施形態について説明する。図１１は、対物レンズ５０への輪状体８０の取り付けを示す概略的な説明図である。図１２は、鏡筒５１に対物レンズ５０及び輪状体８０を取り付けた状態を示す概略的な模式図である。
【００６４】
図１１に示すように、対物レンズ５０には輪状体８０が取り付けられる。図１２に示すように、輪状体８０は、輪状の基板８１に輪状の金属膜７０が積層されて形成される。輪状体８０は、基板８１上に金属膜７０を形成することで製造される。
【００６５】
基板８１は、対物レンズ５０のレンズ部６０に対応する範囲の開口を有する板状部材である。基板８１は、樹脂材料が金型で成形されて製造される樹脂部品（プラスチック部品）である。金属膜７０は、基板８１の形状に応じて輪状に形成される。
【００６６】
図１１、１２から明らかなように、本実施形態では、上述の実施形態とは異なり、金属膜７０が基板８１に形成された輪状体８０を対物レンズ５０のコバ部６１に直接的に載置する。第１の実施形態と同様に、金属膜７０は対物レンズ５０に熱接続され、対物レンズ５０よりも高い熱伝導性を有する。コイルの配置箇所に応じて対物レンズの任意の部分に生じる局所的な熱は、金属膜７０によって短時間で受熱される。従って、コイルで生じた熱により対物レンズ５０が局所的に加温されたとしても、対物レンズ５０に生じた局所的な熱を金属膜７０で受熱させることで、対物レンズ５０に部分的に偏った熱分布が形成されることを効果的に抑制することができる。なお、この場合、金属膜７０は、放熱部材として機能する。
【００６７】
本実施形態では、上述の実施形態よりも製造工程の簡素化を図ることができる場合がある。なぜなら、主として輪状体８０を製造する工程を追加して、対物レンズ５０及び鏡筒５１を製造する工程は既存のままで良いためである。なお、金属膜７０の厚みが十分な場合は、基板８１は不要である。
【００６８】
〔第４の実施の形態〕
図１３、１４を参照して本発明の第４の実施形態について説明する。図１３は、第４の実施形態にかかる対物レンズ５０の概略的な斜視図である。図１４は、対物レンズ５０を背面視した模式図である。
【００６９】
図１３、１４から明らかなように、本実施形態では、第２の実施形態とは異なり、対物レンズ５０のコバ部６１に形成された金属膜７０は部分的に除去されている。すなわち、輪状の金属膜７０は部分的に切断され、対物レンズ５０のコバ部６１が部分的に露出している。かかる構成を採用することによって、金属膜７０の追加的な配置に伴ってアクチュエータ１１２の所望の動作が阻害されることが抑制される。なお、本実施形態においても第２の実施形態と同様の効果を得ることができる。
【００７０】
金属膜７０を輪状に形成すると、周囲の磁界の影響を受けて電流が金属膜７０を流れる場合がある。このような場合には、金属膜７０に流れる電流によって周囲の磁界が乱れるおそれがある。本実施形態では、この点に鑑みて、輪状の金属膜７０を部分的に取り除き、コバ部６１を部分的に露出させる。これによって、金属膜７０における電流の還流を効果的に抑制することができる。結果的に、金属膜７０の追加的な配置に伴ってアクチュエータ１１２の動作が阻害されることが抑制される。
【００７１】
本発明の技術的範囲は上述の実施形態に限定されない。熱源はコイルに限定されるべきものではない。金属膜７０を形成する範囲は任意である。鏡筒５１の全周面に金属膜７０を形成させても良い。有効径の範囲以外であれば、部分的に対物レンズ５０のレンズ部６０に金属膜７０を形成させても良い。金属以外の材料で熱伝導体を形成させても良い。
【００７２】
また、上述の各実施形態は相互に組み合わせることが可能なものであり、各実施形態を完全に独立したものとして理解することは許されない。例えば、第４の実施形態は、第１の実施形態又は第３の実施形態にも当てはめることが可能である。
【図面の簡単な説明】
【００７３】
【図１】本発明の第１の実施形態に係る光ピックアップ装置の構成を示すブロック図である。
【図２】本発明の第１の実施形態に係る対物レンズを変位させる駆動機構の概略的な斜視図である。
【図３Ａ】本発明の第１の実施形態に係る対物レンズを変位させる駆動機構の動作を説明するための説明図である。
【図３Ｂ】本発明の第１の実施形態に係る対物レンズを変位させる駆動機構の動作を説明するための説明図である。
【図４】本発明の第１の実施形態に係るレンズを保持した鏡筒の概略的な斜視図である。
【図５】本発明の第１の実施形態に係るレンズを保持した鏡筒の断面構成を示す概略的な模式図である。
【図６】本発明の第１の実施形態に係る金属膜の形成範囲を説明するための概略的な模式図である。
【図７】レンズに形成される偏熱を説明するための説明図である。
【図８】レンズに形成される偏熱を説明するための説明図である。
【図９】本発明の第２の実施形態にかかる対物レンズ５０の概略的な斜視図である。
【図１０】本発明の第２の実施形態にかかる対物レンズ５０の断面構成を示す概略的な模式図である。
【図１１】本発明の第３の実施形態に係る対物レンズ５０への輪状体８０の取り付けを示す概略的な説明図である。
【図１２】本発明の第３の実施形態に係る鏡筒５１に対物レンズ５０及び輪状体８０を取り付けた状態を示す概略的な模式図である。
【図１３】本発明の第４の実施形態にかかる対物レンズ５０の概略的な斜視図である。
【図１４】本発明の第４の実施形態にかかる対物レンズ５０を背面視した模式図である。
【符号の説明】
【００７４】
２００  光ピックアップ装置
１５  磁石
４０  コイル
４５  可動部
５０    対物レンズ
５１    鏡筒
５２    載置面
６０    レンズ部
６１    コバ部
７０    金属膜
８０    輪状体
８１    基板
【図１】
2009295240.tif 000003
【図２】
2009295240.tif 000004
【図３Ａ】
2009295240.tif 000005
【図３Ｂ】
2009295240.tif 000006
【図４】
2009295240.tif 000007
【図５】
2009295240.tif 000008
【図６】
2009295240.tif 000009
【図７】
2009295240.tif 000010
【図８】
2009295240.tif 000011
【図９】
2009295240.tif 000012
【図１０】
2009295240.tif 000013
【図１１】
2009295240.tif 000014
【図１２】
2009295240.tif 000015
【図１３】
2009295240.tif 000016
【図１４】
2009295240.tif 000017